(57)【要約】【課題】  バッジが嵌合可能な窪みを形成したネットグリルを、スピーカー装置間で共有化する場合において、該バッジを取り付ける必要のないバッジ取付部が存在しても、ネットがバッジ嵌合部の凹部方向への押圧に耐え、該ネットに伸びが生じたり、嵌合部形状に痕跡が出現しない美観に優れたネットグリルを提供する。【解決手段】    ネットグリルが、グリルと、該グリルに張設するネットと、複数のバッジ取付部と、バッジとを備え、該バッジ取付部が、該グリルに連続して形成される平面部と、該バッジのプレートが嵌合可能に形成された所定の深さを有する凹部であるバッジ嵌合部と、を備え、該バッジが、少なくとも１つの該バッジ取付部に取り付けられ、該バッジが取り付けられない他の該バッジ取付部は、該バッジ嵌合部と該ネットとの間に配設するネット支持部を備え、該ネット支持部が、該ネットの背面に当接してネットを支持する。【選択図】  図１
2009218838.tif 000002
【特許請求の範囲】
【請求項１】
スピーカー装置に取り付けられるネットグリルにおいて、
該ネットグリルが、グリルと、該グリルに張設するネットと、複数のバッジ取付部と、バッジとを備え、
該バッジ取付部が、該グリルに連続して形成される平面部と、該バッジのプレートが嵌合可能に形成された所定の深さを有する凹部であるバッジ嵌合部と、を備え、
該バッジが、少なくとも１つの該バッジ取付部に取り付けられ、
該バッジが取り付けられない他の該バッジ取付部は、該バッジ嵌合部と該ネットとの間に配設するネット支持部を備え、
該ネット支持部が、該ネットの背面に当接してネットを支持する、
ネットグリル。
【請求項２】
前記ネットグリルが、略長方形状であり、前記バッジ取付部が、該長方形の短辺と、長辺とに、少なくとも一つずつ設けられた請求項１に記載のネットグリル。
【請求項３】
前記バッジが、前記プレートの背面にピンを備え、前記バッジ取付部が、該ピンのピン挿通孔を備え、該バッジの取付位置が位置決めされる請求項１および２に記載のネットグリル。
【請求項４】
前記ネット支持部が、前記グリルから切り欠き部を設けて延設され、前記バッジ取付部への前記バッジの圧入により前記グリルからの分離が可能である請求項１から３に記載のネットグリル。
【請求項５】
前記バッジ取付部が、分離する前記ネット支持部が通過可能な開口部を備える請求項４に記載のネットグリル。
【請求項６】
グリルと、グリルに張設したネットと、複数のバッジ取付部と、バッジとを備えるネットグリルの製造方法であって、
該バッジ取付部に、該グリルに連続して形成する平面部と、該バッジが嵌合可能に形成された所定の深さを有するバッジ嵌合部とを形成する工程と、
該バッジ嵌合部と該ネットとの間に配設するようにネット支持部を形成する工程と、
該ネットグリルに該ネットを張設する工程と、
少なくとも一つの該バッジ取付部に該バッジを取り付ける工程と、を含む、
ネットグリルの製造方法。
【請求項７】
前記ネットグリルの製造方法において、
前記バッジ取付部に、前記ピンが挿通する前記ピン挿通孔と、前記ネット支持部が通過可能な開口部とを形成する工程と、
該ネット支持部を前記グリルから延設し、切り欠き部を設けて該グリルから分離可能に形成する工程と、をさらに含む、
請求項６に記載のネットグリルの製造方法。
【発明の詳細な説明】
【技術分野】
【０００１】
本発明は、スピーカー装置に取り付けられるネットグリルに関するものである。
【背景技術】
【０００２】
スピーカーシステムにおいて、スピーカー装置に取り付けられる少なくとも１つのネットグリルには、張設されるネットに標章や商標を示すバッジが取り付けられることが多い。バッジは、ネットグリルに設けられたバッジ取付部に差し込まれるなどして取り付けられるが、その固着方法として、バッジ取付部へ溶着する方法や、バッジ取付部に嵌合可能な窪みを形成して、バッジを嵌め込む方法がある。
【０００３】
また、スピーカーシステムにおいて、スピーカーボックスの寸法を同じく設計されるものが、しばしば見かけられる。例えば、スピーカーシステム前方に設置されるセンタースピーカーと、左右のフロントスピーカーとが、同寸に設計され、それぞれの筺体にネットグリルが取付けられ、統一した美観を有するスピーカー装置がある。これらのスピーカーボックスには、その大きさが等しいことから、共通のネットグリルが取付けられることがある。ネットグリルを共用化することで、新たなネットグリルの設計および製作の工程を省くことが出来るため、低コスト化が図られてきた。
【０００４】
しかしながら、センタースピーカーは筺体を横置きに載置し、左右のフロントスピーカーは縦置きに載置して設置する方法が一般的である。
【非特許文献１】「Ｉｎｔｅｃ２０５カタログ」オンキヨー株式会社  ２００７年  ｐ．２１
【非特許文献２】「ＨＯＭＥ  ＴＨＥＡＴＥＲ  ＳＹＳＴＥＭ／ＨＴ−ＳＲ６００」ＯＮＫＹＯ  ＵＳＡ  Ｃｏｒｐｏｒａｔｉｏｎ．  ＵＲＬ；http://www.us.onkyo.com/model.cfm?m=HT-SR600&class=Systems&p=i
【発明の開示】
【発明が解決しようとする課題】
【０００５】
上記したようなバッジが嵌合可能な窪みを形成したネットグリルを、スピーカー装置間で共有化する場合において、該バッジを取り付ける必要のないバッジ取付部が存在しても、ネットがバッジ嵌合部の凹部方向への押圧に耐え、該ネットに伸びが生じたり、嵌合部形状に痕跡が出現しない美観に優れるネットグリルを提供する。
【課題を解決するための手段】
【０００６】
本発明のネットグリルは、グリルと、該グリルに張設するネットと、複数のバッジ取付部と、バッジとを備え、該バッジ取付部が、該グリルに連続して形成される平面部と、該バッジのプレートが嵌合可能に形成された所定の深さを有する凹部であるバッジ嵌合部とを備え、該バッジが、少なくとも１つの該バッジ取付部に取り付けられ、該バッジが取り付けられない他の該バッジ取付部は、該バッジ嵌合部と該ネットとの間に配設するネット支持部を備え、該ネット支持部が、該ネットの背面に当接してネットを支持する。
【０００７】
好ましくは、本発明のネットグリルは、略長方形状であり、バッジ取付部が、長方形の短辺と、長辺とに、少なくとも一つずつ設けられている。
【０００８】
また好ましくは、本発明のネットグリルは、バッジが、プレートの背面にピンを備え、バッジ取付部が、バッジのピンが挿通するピン挿通孔を備え、バッジの取付位置が位置決めされる。
【０００９】
また好ましくは、本発明のネットグリルは、ネット支持部が、グリルから切り欠き部を設けて延設され、バッジ取付部へバッジの圧入によりグリルからの分離が可能である。
【００１０】
また好ましくは、本発明のネットグリルは、バッジ取付部が、分離するネット支持部が通過可能な開口部を備える。
【００１１】
本発明のネットグリルの製造方法は、バッジ取付部に、グリルに連続して形成する平面部と、バッジが嵌合可能に形成された所定の深さを有するバッジ嵌合部とを形成する工程と、バッジ嵌合部とネットとの間に配設するネット支持部を形成する工程と、ネットグリルにネットを張設する工程と、少なくとも一つのバッジ取付部にバッジを取り付ける工程とを含む。
【００１２】
また好ましくは、本発明のネットグリルの製造方法は、バッジ取付部に、ピンが挿通するピン挿通孔と、ネット支持部が通過可能な開口部とを形成する工程と、ネット支持部をグリルから延設し、切り欠き部を設けてグリルから分離可能に形成する工程と、をさらに含む。
【００１３】
以下、本発明の作用について説明する。
【００１４】
本発明のネットグリルは、グリルに連続して形成したバッジ取付部を備え、該バッジ取付部は、平面部と凹状のバッジ嵌合部とから構成され、該バッジ嵌合部と、張設されたネットとの間に介在するようにネット支持部を形成して、該ネット支持部がネットの背面に当接して該ネットを支持するので、該ネットは該バッジ嵌合部の凹部方向への伸長が抑止され、該ネットの美観が保たれる。
【００１５】
本発明のネットグリルは、複数のバッジ取付部を備え、ネットグリルの短辺と長辺とに少なくとも一つずつバッジ取付部を備え、所望部位の該バッジ取付部のみを使用してバッジを固着するため、該ネットグリルが取付けられるスピーカーボックスの載置方向は限定されない。また、該バッジが取付けられないその他の該バッジ取付部は、ネット支持部を備えたままであり、ネットは該ネット支持部に当接して支持され、バッジ嵌合部の凹部方向へ伸長しないので、該ネットの美観は保たれる。
【００１６】
本発明のネットグリルは、バッジ嵌合部の底部にバッジのピンが挿通するピン挿通孔を備え、該ピンを備えた該バッジを用いて、該バッジの取付位置が決定される。
【００１７】
本発明のネットグリルは、ネット支持部が、グリルより延設された部分に切り欠き部を介して形成され、該グリルからの分離が容易に可能である。さらに、バッジ嵌合部の底部に分離した該ネット支持部が通過可能な開口部を形成して、該グリルにネットを張設した後であっても該ネット支持部を該グリルより分離することを可能にしている。すなわち、該ネット支持部は、バッジの該バッジ嵌合部への圧入によって破断し、該開口部を通過して該グリルより脱落する。
【発明の効果】
【００１８】
本発明のネットグリルは、バッジを取付けるバッジ取付部にバッジが嵌合する凹形状のバッジ嵌合部を備えていても、張設するネットの美観が優れた状態に保つことが出来て、且つ、縦置き載置型スピーカーにも、横置き載置型スピーカーにも、ネットグリルを共用化することが出来て低コスト化が可能であり、さらに、バッジを取付ける際に、不要となるネット支持部を予め取り除く工程を必要とせず、余分な製造工程を省くことが出来て低コスト化される。
【発明を実施するための最良の形態】
【００１９】
本発明のネットグリルは、バッジを取り付けるバッジ取付部に凹状に形成したバッジ嵌合部を備え、バッジを取付けないバッジ嵌合部があっても、グリルに張設したネットが、該バッジ嵌合部の凹部方向へ押圧を受けて美観を損なうことを防ぐ、という目的を、ネットグリルが、グリルと、該グリルに張設するネットと、複数のバッジ取付部と、バッジとを備え、該バッジ取付部が、該グリルに連続して形成される平面部と、該バッジのプレートが嵌合可能に形成された所定の深さを有する凹部であるバッジ嵌合部とを備え、該バッジが、少なくとも１つの該バッジ取付部に取り付けられ、該バッジが取り付けられない他の該バッジ取付部は、該バッジ嵌合部と該ネットとの間に配設するネット支持部を備え、該ネット支持部が、該ネットの背面に当接してネットを支持することによって、達成した。
【００２０】
以下、本発明の好ましい実施形態によるスピーカー装置について説明するが、本発明はこれらの実施形態には限定されない。
【実施例１】
【００２１】
図１（ａ）および図１（ｂ）は、本実施例における、ネットグリル１を説明する概略平面図である。なお、張設するネットは部分透明視している。
【００２２】
本実施例のネットグリル１は、略長方形状のグリル２と、該グリル２に張設するネット３と、バッジ４と、バッジ取付部５と、から構成される。該グリル２は、該グリル２の長辺に形成したバッジ取付部５ａと、該グリルの短辺に形成したバッジ取付部５ｂと、の２つのバッジ取付部を備える。図１（ａ）は、横置き載置型のスピーカー装置に取付けられる該ネットグリル１を図示したものであり、該ネットグリル１の長辺に形成したバッジ取付部５ａに該バッジ４を固着している。ここで、該ネットグリル１の短辺に形成したバッジ取付部５ｂには、該バッジ４は固着しない。一方、図１（ｂ）は、縦置き載置型のスピーカー装置に取付けられる該ネットグリル１を図示したものであり、該ネットグリル１の短辺に形成したバッジ取付部５ｂに該バッジ４を固着している。この時、該ネットグリル１の長辺に形成したバッジ取付部５ａには、該バッジ４は固着しない。
【００２３】
図２（ａ）および図２（ｂ）は、本実施例における、バッジ取付部５を説明する拡大平面図および拡大斜視図であり、張設するネットは図示していない。本実施例のバッジ取付部５は、グリル２より延設された矩形状の平面部６と、平面部６に凹状に形成されたバッジ嵌合部７と、該バッジ嵌合部７内に、該平面部６と面一となる高さに形成された細長方形状のネット支持部８と、を備える。さらに、該バッジ嵌合部７の底部には、バッジ４のピンが挿通する円形のピン挿通孔９と、該ネット支持部８が通過可能な長方形状の開口部１０と、を備える。該ネット支持部８は、グリル２より延設し、バッジ嵌合部７を規定する該平面部６にわたして、バッジ嵌合部７を一部塞いで形成し、該ネット支持部８の両端に切り欠き部１１を設けて形成している。
【００２４】
図３（ａ）および図３（ｂ）は、図２（ｂ）におけるＡ−Ａ’断面図およびＢ−Ｂ’断面図であり、バッジが取付けられないバッジ取付部５ｃを説明する図である。ネット支持部８は、平面部６と面一に形成されており、該ネット支持部８の平面が、張設されるネット３の背面に当接して該ネット３を支持している。該ネット支持部８は、グリル２より延設し、バッジ嵌合部７を規定する該平面部６にわたって、バッジ嵌合部７を一部塞いで形成し、該ネット支持部８の両端に切り欠き部１１を設けて形成されている。該ネット支持部８は、該バッジ嵌合部７内に該バッジ嵌合部７の底面積の略１／４の幅を有して２本形成し、該バッジ嵌合部の底部中央に設けられたピン挿通孔の両左右に配する。このようにすることで、ネットグリル１が備える複数のバッジ取付部５のうち、バッジ４を取付けないバッジ取付部５ｃにおいて、該ネットグリル１に張設する該ネット３は、該バッジ嵌合部７の凹部方向への伸長が抑止され、美観が保たれる。
【００２５】
本実施例のネットグリル１は、グリル２に連続して、平面部６と、バッジ４が嵌合可能に形成された所定の深さを有するバッジ嵌合部７とを形成する工程と、バッジ嵌合部７とネット３との間に配設するネット支持部８を、切り欠き部１１を設けて該グリルから分離可能に形成する工程と、バッジ５のピンが挿通するピン挿通孔９と、該ネット支持部８が通過可能な開口部１０を形成する工程を経て形成されるバッジ取付部５を形成し、さらに、ネットグリル１にネット３を張設する工程と、少なくとも一つのバッジ取付部５にバッジ４を取り付ける工程を経て製造する。
【００２６】
本実施例のネットグリル１のグリル部材は、ＰＳ（ポリスチレン）樹脂やＡＢＳ（アクリロニトリル・ブタジエン・スチレン）樹脂などの樹脂によって構成されるのが好ましく、本実施例はＡＢＳ樹脂からなる。取付けるバッジ部材は、グリルと同じく、ＰＳ樹脂やＡＢＳ樹脂などの合成樹脂などから構成され得るが、本実施例は、ＡＢＳ樹脂からなる。また、張設するネット部材は、柔軟で伸縮性を有する部材が好ましいが、本実施例はポリエステルからなる。張設するネットは、該ネットグリル１に接着剤で固着し張設するが、グリルを構成する部材が樹脂等の熱可溶部材であれば、熱溶着してもよい。
【００２７】
図４（ａ）、図４（ｂ）および図４（ｃ）は、バッジ４が取付けられるバッジ取付部５ｄの図２（ｂ）におけるＡ−Ａ’断面図、Ｂ−Ｂ’断面図およびＡ−Ａ’断面斜視図であり、該バッジ４の固着方法を説明する図である。本実施例のバッジ取付部５ｄは、前記バッジ取付部５ｃのバッジが取付けられていない状態から、該バッジ４が備えるピン１２をネット３に挿通し、さらに、該バッジ嵌合部７の底部に形成したピン挿通孔９へ挿入することで、該バッジ４の取付位置が決定される。該バッジ４は、プレート部１３の背面がネット３を介してネット支持部８と当接し、該バッジ嵌合部７の凹部方向へ該バッジ４がさらに圧入されると、該ネット支持部８の両端に設けられた切り欠き部１１に応力がかかり、やがて該ネット支持部８は破断する。破断した該ネット支持部は、該バッジ嵌合部７の底部に設けられた開口部１０を通過して該グリル２から脱落する。つまり、該グリル２に該ネット３を張設する前工程に、該ネット支持部８を取り除いておく工程を必要とせず、該バッジ４の圧入と同時に該ネット支持部８を脱落させることができる。
【００２８】
図５（ａ）、図５（ｂ）および図５（ｃ）は、従来のネットグリル１００における、バッジ取付部１０１を説明する平面図、拡大斜視図および部分断面図である。
【００２９】
従来のネットグリル１００は、グリル１０２と、該グリル１０２に張設するネット１０３と、バッジ取付部１０１と、バッジ１０４とを備え、該バッジ取付部１０１は、該グリル１０２に連続して形成される平面部１０５と、該バッジ１０４が嵌合可能に形成された所定の深さを有する凹部であるバッジ嵌合部１０６とを備える。
【００３０】
従来のネットグリル１００は、取り付けられるバッジ１０４が嵌合するバッジ嵌合部１０６と、張設するネット１０３との間に、該ネット１０３に当接して支持するネット支持部を備えないので、該ネットグリル１００にバッジを取り付けない場合に、該ネット１０３が、該バッジ嵌合部１０６の凹部方向へ押圧を受け、伸びやたるみが生じたり、嵌合部形状の痕跡が現れたりするので、美観が損なわれる。
【００３１】
本実施例のネットグリル１と、従来のネットグリル１００とを比較すると、本実施例のネットグリル１は、バッジ嵌合部７と張設するネット３との間に、且つ、該バッジ嵌合部７を規定する平面部６と面一の高さに形成したネット支持部８が、該ネット３の背面に当接して該ネット３を支持するのに対し、従来のネットグリル１００は、ネット支持部を備えない。したがって、従来のネットグリルに張設するネット１０３は、バッジ嵌合部１０６への押圧によって、該ネット１０３がバッジ嵌合部１０６の凹部方向へ伸長することにより伸びやたるみが現れ美観が損なわれるが、本実施例に張設するネット３は、押圧を受けても該ネット支持部８が該ネット３を支持して該ネット３の伸長を抑止するので、美観が保たれる。
【００３２】
本実施例におけるネットグリル１は、ネット３がバッジ取付部４に形成したバッジ嵌合部７の凹部方向へ押圧されて伸長することを、バッジ嵌合部７とネット３との間に配設したネット支持部８が防いでいる。つまり、該ネット支持部８が、凹部形状の該バッジ嵌合部７を一部塞いで配設されるとともに、該ネット支持部８はネット３の背面に当接して該ネット３を支持する。したがって、グリル２に張設するネット３は、バッジ４が取付けられないバッジ取付部５を有するネットグリル１において、該バッジ嵌合部７の凹部方向への押圧を受けても該ネット３は伸長することがないため、美観に優れたネットグリルを提供することができる。
【００３３】
さらに、本実施例のネットグリル１は、該バッジ嵌合部７の底部に、破断するネット支持部８が通過するための開口部１０を備え、バッジ４の取付けと同時にネット支持部８を破断して、グリル２より脱落することが可能であるので、ネット支持部８を予め取り除いておくなどの余分な製造工程を省略できる、さらに、該ネットグリル１の略長方形状の長辺と短辺とに少なくとも一つずつ該バッジ取付部４を形成することで、縦置き載置型スピーカー、および、横置き載置型スピーカーのいずれにも該ネットグリル１を共用化することができ、低コスト化できる。
【産業上の利用可能性】
【００３４】
本発明は、空気をフィルタリングする目的でグリルにネットを張設した部材を用いる、エアコン、ファンヒーター、換気扇などの家電および空調設備にも応用が可能である。
【図面の簡単な説明】
【００３５】
【図１】本発明の好ましい実施形態におけるネットグリル１を説明する概略構成平面図である。
【図２】本発明の好ましい実施形態におけるバッジ取付部５を説明する図であり、（ａ）は拡大平面図、（ｂ）は拡大斜視図である。
【図３】本発明の好ましい実施形態におけるバッジが取付けられないバッジ取付部５ｃを説明する図であり、（ａ）は図２（ｂ）におけるＡ−Ａ’断面図、（ｂ）は図２（ｂ）におけるＢ−Ｂ’断面図である。
【図４】本発明の好ましい実施形態におけるバッジが取付けられるバッジ取付部５ｄを説明するであり、（ａ）は図２（ｂ）におけるＡ−Ａ’断面図、（ｂ）は図２（ｂ）におけるＢ−Ｂ’断面図、（ｃ）は図２（ｂ）におけるＡ−Ａ’断面斜視図である。
【図５】従来の実施形態におけるネットグリル１００を説明する図であり、（ａ）は概略構成平面図、（ｂ）はバッジ取付部１０１の拡大斜視図、（ｃ）はバッジ取付部の部分断面図である。
【符号の説明】
【００３６】
１、１００  ネットグリル
２、１０２  グリル
３、１０３  ネット
４、１０４  バッジ
５、５ａ、５ｂ、５ｃ、５ｄ、１０１  バッジ取付部
６、１０５  平面部
７、１０６  バッジ嵌合部
８  ネット支持部
９  ピン挿通孔
１０  開口部
１１  切り欠き部
１２  ピン
１３  プレート
【図１】
2009218838.tif 000003
【図２】
2009218838.tif 000004
【図３】
2009218838.tif 000005
【図４】
2009218838.tif 000006
【図５】
2009218838.tif 000007